(57)【要約】【課題】基板を含む発振回路（振動子を除く）の温度特性が所定の温度範囲内では変動せず、所定の温度以上においてのみ直線的な温度特性となる場合でも、温度補償が可能な圧電発振器を提供する。【解決手段】この電圧発生手段１０は、感温素子であるサーミスタＲＴＨと、そのサーミスタＲＴＨの電圧を分圧する分圧抵抗Ｒ１と、オペアンプ１１のマイナス側の端子の電圧を設定する分圧抵抗Ｒ２、Ｒ３と、オペアンプ１１の出力電圧ＶＯをマイナス側の端子に帰還する帰還抵抗Ｒ４と、出力電圧Ｖ０を所定の電圧に分圧する抵抗Ｒ５、Ｒ６及びコンデンサＣ１と、発振器１２から構成されている。【選択図】      図２
2004186754.tif 000002
【特許請求の範囲】
【請求項１】
周囲温度の変化による発振周波数の変動を補償する周波数温度補償回路を備えた圧電発振器であって、
前記周波数温度補償回路は、周囲温度の変化を検出する温度検出手段と、該温度検出手段により検出された温度変化を所定の電圧値に変換する電圧発生手段と、該電圧発生手段の出力電圧に基づいて容量が変化する可変容量ダイオードと、を備え、
前記電圧発生手段は、前記温度検出手段が検出した周囲温度が所定の温度範囲内にあるときには一定の電圧を出力し、前記温度検出手段が検出した周囲温度が所定の温度範囲を超過した場合は、前記超過した周囲温度の超過分に応じて出力電圧を変化させることを特徴とする温度補償型圧電発振器。
【請求項２】
前記電圧発生手段は、電源電圧を分圧する電圧分圧手段と、周囲温度の変化により抵抗値が変化する感温素子と、該感温素子の抵抗変化に基づいて発生した電圧を増幅するオペアンプと、を備え、
前記オペアンプは、該オペアンプの第１の入力端子を抵抗を介して前記電圧分圧手段の分圧点に接続することにより、前記分圧点の電圧に応じて出力の飽和レベルを調整可能とすることを特徴とする請求項１に記載の温度補償型圧電発振器。
【請求項３】
前記オペアンプは、前記感温素子の抵抗変化に基づいて発生した電圧を第２の入力端子に接続し、前記第１の入力端子に前記オペアンプの出力信号を帰還抵抗を介して接続し、該帰還抵抗の値により前記オペアンプの増幅利得を調整可能とすることを特徴とする請求項１又は２に記載の温度補償型圧電発振器。
【請求項４】
前記帰還抵抗の値は、周囲温度が高温側にあるときに周波数が低下する特性を補償する増幅利得となるように決定されることを特徴とする請求項３に記載の温度補償型圧電発振器。
【請求項５】
前記感温素子は、正特性若しくは負特性の何れかの特性を有する素子であることを特徴とする請求項２又は３に記載の温度補償型圧電発振器。
【請求項６】
前記感温素子がサーミスタであることを特徴とする請求項２乃至５の何れか一項に記載の温度補償型圧電発振器。
【発明の詳細な説明】
【０００１】
【発明の属する技術分野】
本発明は、温度補償型圧電発振器に関し、さらに詳しくは、周囲温度の変化に対して非直線的に変動する発振周波数特性を補償する圧電発振器に関するものである。
【０００２】
【従来の技術】
従来から水晶発振器は、コンデンサやインダクタを用いたＬＣ発振器や、他の圧電材料を用いた発振器に比べて発振周波数の安定度が非常に高い。しかし、特に近年の無線通信技術の向上に伴って、発振器に対して、更に高い周波数安定度が要求されている。水晶発振器の発振周波数を変動させる大きな要因として、周囲温度による影響が非常に大きなウエイトを占めている。そのため、この周囲温度による影響を受けないように、或いは周囲温度の影響をキャンセルするような対策を講じる必要がある。
また、周囲温度により発振周波数が変化する要因として、水晶振動子に起因するものと、振動子を除く発振回路を構成する電子部品の温度特性に起因するものとがあり、特に、高安定水晶発振器では、周囲温度の影響を受けなくするための一つの方策として、振動子を含む発振器全体を恒温槽内に入れることが行われている。しかしながら、近年、高安定発振器は小型化が進んでおり、発振器全体を恒温槽内に収納するのでは水晶発振器の大型化が避けられなくなる。そこで、振動子部分のみを主として恒温槽に入れる方法がある。しかし、発振回路基板上において恒温槽用ヒータに近くない部分、例えば、基板周辺縁部分などは、発振器外気温度の変化に伴って大きく温度が変化してしまう。そして、発振回路基板は中央に振動子、辺縁部に振動子以外の発振回路部品が搭載されるケースが多く、この部分の温度変化が大きい場合には、周波数温度特性の悪化をもたらす虞がある。更に、振動子以外の発振回路部品の周波数温度特性は温度に対して直線的に変化するため、この特性の劣化は直線的に補償する必要がある。例えば、図８はこの様子を模式的に表した図である。周波数変化の特性が１００のように周囲温度が高くなると周波数が低下する特性の場合、周波数制御電圧１１０をそれとは逆の特性を持つように設定すれば、補償後の周波数１２０は温度により周波数が変化しない特性となる。
そこで、温度センサ、電圧増幅器及びバラクタダイオードの組合わせにより直線的に温度補償する従来技術として、特開２００２−１３５０５１公報には、歩留まりに優れ周波数安定度が高い小型の恒温槽型水晶発振器について開示されている。それによると、圧電振動子と増幅回路及び可変容量ダイオードを有する発振回路と、前記圧電振動子を一定温度に保つ為の恒温槽と、温度変化に伴う前記増幅回路の電気的特性の変化により前記圧電発振器の発振周波数が変動するのを抑圧するよう前記可変容量ダイオードの容量値を制御する為の制御電圧を出力する電圧発生回路とを備え、該電圧発生回路が正特性または負特性のサーミスタを感温素子として制御電圧を制御することにより温度変化によって生じる増幅回路の電気的特性の変動に伴う周波数変化を回路的に補償することができるので、周波数温度特性に優れる小型の恒温槽型水晶発振器を容易に実現することが可能としている。
【特許文献１】特開２００２−１３５０５１公報
【０００３】
【発明が解決しようとする課題】
特許文献１は、電圧発生回路が正特性または負特性のサーミスタを感温素子として制御電圧を制御することにより、温度変化によって生じる増幅回路の電気的特性の変動に伴う周波数変化を回路的に補償するものであり、振動子以外の発振回路部品の周波数温度特性は温度に対して直線的に変化する。しかしながら、使用する部品や発振回路基板材料などによっては、基板を含む発振回路（振動子を除く）は直線的な温度特性とならない場合があり、ある温度以上においてのみ発振周波数の大きな変動が見られる場合がある。このように周波数変動の大きい温度範囲だけ温度補償することが必要となり、特許文献１に記載の発明では、このような補償を行うことが困難である。
本発明は、かかる課題に鑑み、基板を含む発振回路（振動子を除く）の温度特性が所定の温度範囲内では変動せず、所定の温度以上においてのみ直線的な温度特性となる場合でも、温度補償が可能な圧電発振器を提供することを目的とする。
【０００４】
【課題を解決するための手段】
本発明はかかる課題を解決するために、請求項１は、周囲温度の変化による発振周波数の変動を補償する周波数温度補償回路を備えた圧電発振器であって、前記周波数温度補償回路は、周囲温度の変化を検出する温度検出手段と、該温度検出手段により検出された温度変化を所定の電圧値に変換する電圧発生手段と、該電圧発生手段の出力電圧に基づいて容量が変化する可変容量ダイオードと、を備え、前記電圧発生手段は、前記温度検出手段が検出した周囲温度が所定の温度範囲内にあるときには一定の電圧を出力し、前記温度検出手段が検出した周囲温度が所定の温度範囲を超過した場合は、前記超過した周囲温度の超過分に応じて出力電圧を変化させることを特徴とする。
周波数温度補償回路は、少なくとも周囲温度を検出する手段と、その周囲温度に応じて電圧が変化する電圧発生手段と、発生した電圧に基づいて例えば、容量を変化させることにより周波数を変化させて温度補償する手段と、を必要とする。特に、本発明の電圧発生手段は、周囲温度が所定の温度範囲では出力電圧が一定になる特性を有する必要がある。そこで本発明では、例えば、オペアンプの電圧飽和特性を利用して、オペアンプの一方の端子の電圧のグランドレベルを底上げすることにより電圧を飽和させて、温度検出手段からの電圧（温度）が所定の電圧を超過したときに始めて直線的に増幅利得が変化する特性をもたせる。
かかる発明によれば、オペアンプの一方の端子の電圧のグランドレベルを底上げしてバイアス電圧を供給するので、電圧発生手段の出力電圧が所定の温度範囲内では一定の電圧を発生する特性をもたせることができる。
請求項２は、前記電圧発生手段は、電源電圧を分圧する電圧分圧手段と、周囲温度の変化により抵抗値が変化する感温素子と、該感温素子の抵抗変化に基づいて発生した電圧を増幅するオペアンプと、を備え、前記オペアンプは、該オペアンプの第１の入力端子を抵抗を介して前記電圧分圧手段の分圧点に接続することにより、前記分圧点の電圧に応じて出力の飽和レベルを調整可能とすることを特徴とする。
電圧発生手段の具体的な構成要件としては、所定のバイアス電圧を与える電圧分圧手段と、例えば、温度により抵抗値が変化するサーミスタのような感温素子と、その電圧を所定の演算値により演算して出力するオペアンプと、が必要である。そして、オペアンプは第１の入力端子に前記電圧分圧手段により分圧された電圧を印加することにより、出力の飽和レベルをサーミスタにより変化する電圧（温度）が所定の電圧以内であれば、出力電圧が変化しない特性をもたせることができる。
かかる発明によれば、オペアンプの出力レベルを、感温素子により変化する電圧（温度）が所定の電圧以内のときは変化しないようにすることにより、所定の温度範囲内では温度補償を行わないようにすることができる。
【０００５】
請求項３は、前記オペアンプは、前記感温素子の抵抗変化に基づいて発生した電圧を第２の入力端子に接続し、前記第１の入力端子に前記オペアンプの出力信号を帰還抵抗を介して接続し、該帰還抵抗の値により前記オペアンプの増幅利得を調整可能とすることを特徴とする。
温度補償特性は発振器を構成する振動子とその周辺回路の温度特性により決められる。つまり、発振器の周波数変動とは、それらの構成要件の周囲温度に対する周波数変化量である。これは電圧を発生するオペアンプからみれば、増幅利得の勾配を急にするか緩やかにするかであり、増幅率を変化させることに他ならない。それを調整するには帰還抵抗の値を所定の値にすることである。
かかる発明によれば、帰還抵抗の値によりオペアンプの増幅率を任意に変えることができるので、簡易な方法により振動子の温度特性を補償する電圧を発生することができる。
請求項４は、前記帰還抵抗の値は、周囲温度が高温側にあるときに周波数が低下する特性を補償する増幅利得となるように決定されることを特徴とする。
オペアンプの飽和領域が終了して更に感温素子からの電圧（温度）が高くなると、その電圧に比例してオペアンプの出力電圧が直線的に増加する。つまり、この領域から振動子の温度特性に合わせて周波数が低下するように増幅利得を決定する。
かかる発明によれば、オペアンプの出力電圧が振動子の温度特性に合わせて周波数が低下するように増幅利得を決定するので、高温側のみで変化する周波数特性を容易に補償することができる。
請求項５は、前記感温素子は、正特性若しくは負特性の何れかの特性を有する感温素子であることを特徴とする。
感温素子には温度が上昇すると抵抗値が高くなる正特性と、温度が低下すると抵抗値が高くなる負特性のものがある。これらの特性が予め分かっていれば、それに合わせて回路を構成することが可能である。
かかる発明によれば、感温素子の特性を正、負どちらでも使用することができるので、部品の使用範囲が広がりコストの安い方を選択することができる。
請求項６は、前記感温素子がサーミスタであることを特徴とする。
感温素子には各種あるが、その中でサーミスタが最も汎用性があり、種類も豊富である。
かかる発明によれば、感温素子にサーミスタを使用するので、コスト的に安く構成でき、しかも、使用する温度範囲を広範囲に設定することができる。
【０００６】
【発明の実施の形態】
以下、本発明を図に示した実施形態を用いて詳細に説明する。但し、この実施形態に記載される構成要素、種類、組み合わせ、形状、その相対配置などは特定的な記載がない限り、この発明の範囲をそれのみに限定する主旨ではなく単なる説明例に過ぎない。
図１は本発明の周波数温度補償回路を備えた水晶発振器の概略構成を表す図である。本発明による周波数温度補償回路は、基本的には周囲温度の変化を抵抗値の変化として捉えるサーミスタ１と、サーミスタ１の抵抗値の変化に基づいて温度補償の特性に合致した出力電圧を生成するオペアンプ２とを備えたものであり、オペアンプ２の出力電圧により発振器４に備える容量を変化させることにより発振周波数を可変にする。ここで、サーミスタ１は温度の変化に対して抵抗が増加する正特性或いは、逆に抵抗が減少する負特性のものでもどちらでも構わない。また、感温素子であればサーミスタ以外の素子として、例えばダイオード、トランジスタを使用しても良い。また、ここでは発振器４には電圧により容量が変化する可変容量ダイオード３を使用しているが、その他の電圧制御型の可変容量素子を用いて電圧で周波数が変化する発振回路を構成しても良い。
図２（ａ）は本発明の第１の実施形態に係る周波数温度補償回路の一部である電圧発生手段の回路図である。この電圧発生手段１０は、感温素子であるサーミスタＲＴＨと、そのサーミスタＲＴＨの電圧を分圧する分圧抵抗Ｒ１と、オペアンプ１１のマイナス側の端子の電圧を設定する分圧抵抗Ｒ２、Ｒ３と、オペアンプ１１の出力電圧ＶＯをマイナス側の端子に帰還する帰還抵抗Ｒ４と、出力電圧Ｖ０を所定の電圧に分圧する抵抗Ｒ５、Ｒ６及びコンデンサＣ１と、発振器１２から構成されている。
【０００７】
次に、電圧発生手段１０の概略動作について図２（ｂ）、（ｃ）を参照して説明する。（ｂ）はオペアンプ１の入力電圧ＶＩと出力電圧ＶＯの関係を表す図であり、（ｃ）は特性１５がオペアンプの出力電圧ＶＯと周囲温度の関係、及び特性１４が発振器１２の圧電素子以外の構成要素の電気的特性に基づく周波数温度特性を表す図である。
まず、サーミスタＲＴＨと分圧抵抗Ｒ１は直列に電源ＶＣＣに接続され、その接続中点が入力信号ＶＩとしてオペアンプ１１のプラス側入力端子に接続されている。このとき入力信号ＶＩは、
ＶＩ＝ＶＣＣ×Ｒ１／（Ｒ１＋ＲＴＨ）・・・・（１）
で一義的に決定される。従って、サーミスタＲＴＨが温度により変化すれば（１）式によりＶＩＮもそれに応じて変化する。また、オペアンプ１１のマイナス側の入力端子は分圧抵抗Ｒ２、Ｒ３により電源ＶＣＣが分圧されて印加されているので、入力電圧ＶＩが所定の電圧になるまで出力電圧ＶＯはマイナス側に飽和するように働く。そしてマイナス側の入力端子の電圧は、（２）式により一義的に決定される。
Ｖ（−）＝ＶＣＣ×Ｒ３／（Ｒ２＋Ｒ３）・・・・（２）
従って、抵抗Ｒ２、Ｒ３を適当な値に設定することにより、飽和領域の範囲を設定することができる。また、帰還抵抗Ｒ４は高温側で周波数が低下する特性を補償するようにオペアンプ１１の利得を決定する抵抗である。例えば、ＶＣＣ＝４Ｖ、サーミスタの温度特性を２２ＫΩ／８５℃、Ｒ１＝２２ＫΩ、Ｒ２＝Ｒ３＝Ｒ４＝５６ＫΩとすると、周囲温度が８５℃のとき、（１）式より
ＶＩ＝ＶＣＣ×Ｒ１／（Ｒ１＋ＲＴＨ）＝４×２２ＫΩ／（２２ＫΩ＋２２ＫΩ）＝２Ｖ、
（２）式より、
Ｖ（−）＝ＶＣＣ×Ｒ３／（Ｒ２＋Ｒ３）＝４×５６ＫΩ／（５６ＫΩ＋５６ＫΩ）＝２Ｖ
となり、図２（ｂ）から横軸ＶＩが０ＶからＶＩ１までマイナス側に飽和するように分圧抵抗を設定すれば、ＶＩが２ＶのときＶＯが２Ｖになるように直線的に電圧が変化する特性１３が得られる。
図２（ｃ）のように発振器の周波数温度特性が曲線１４のように温度ｔ１から発振器使用温度の上限である温度ｔ２まで直線的に低下する特性を持っている場合、これを補償するにはこれと逆の変化を呈する周波数変化を与えれば特性１６のように周波数の低下を補償することができる。この例では例えば、発振器の可変容量ダイオードの端子間電圧を大きくすると、発振器の発振周波数が高くなるように変化する回路構成の場合、オペアンプ１１の出力電圧ＶＯを直線１５のように、温度ｔ１から上昇させ、８５℃で２Ｖになるように温度ｔ２まで直線的に変化させて発振器の可変容量ダイオード等に印加することにより補償することができる。尚、この図では特性のカーブを模式的に表現している。
【０００８】
図３は本発明の電圧発生手段を更に詳細に説明するためのシミュレーション回路である。オペアンプ３０としてＴＡ７５０６２Ｐを使用し、帰還抵抗をＲ１１とし、分圧抵抗の一方をＲ１２＝１ＫΩとして、他方の抵抗の代わりに電圧Ｖ４＝２Ｖを印加する。また、オペアンプ３０のプラス側にはサーミスタと分圧抵抗Ｒ２４との接続点に発生した電圧として代わりにサーミスタ電源Ｖ１を接続する。また、オペアンプ３０の電源としてプラス側にＶ２＝４Ｖ、マイナス側にＶ３＝０Ｖを印加する。この回路において、帰還抵抗Ｒ１１をパラメータにして、プラス側の電圧（以下、サーミスタ電圧と記す）を変化（等価的に周囲温度を変化）させた出力電圧の特性のシミュレーション結果を図４に示す。
【０００９】
図４は、縦軸にオペアンプ３０の出力電圧ＶＯ、横軸はサーミスタ電圧Ｖ１を表し、低電圧であるほど高温状態となることを仮想したものである。このときオペアンプ３０のマイナス側の電圧Ｖ４は２．０Ｖ一定なので、サーミスタ電圧Ｖ１が２Ｖのときに出力電圧ＶＯも２Ｖとなり、帰還抵抗Ｒ１１が４０ＫΩのときの特性曲線が２１、７０ＫΩのときの特性曲線が２２、１００ＫΩのときの特性曲線が２３となり、何れもそのときの出力電圧ＶＯは２Ｖ（Ｐ点）になり、帰還抵抗の値により特性曲線の勾配が異なり増幅利得が帰還抵抗により設定できることを表している。
図５は帰還抵抗Ｒ１１を一定にして、マイナス側の電圧Ｖ４をパラメータにしたときのサーミスタ電圧と出力電圧との関係を表す図である。ここではマイナス側の電圧Ｖ４を２．０Ｖ、２．０１Ｖ、２．０２Ｖ、２．０３Ｖ、２．０４Ｖ、２．０５Ｖにしたときの各特性曲線を２５〜３０としてプロットしてある。これから明らかなように、マイナス側の電圧Ｖ４を高くすることにより、特性曲線が右側（周囲温度でいえば高い温度）にシフトしており、発振器に使用される圧電素子の温度特性により希望の温度に調節することができる。言い換えると、図２の分圧抵抗Ｒ２、Ｒ３の値を適当に選択することにより特性ポイントをどこに設定するかを任意に設定することが可能となる。
以上のことから、帰還抵抗と分圧抵抗を所定の値に選択することにより、希望する特性の曲線を得ることが可能となる。
【００１０】
図６は本発明の第２の実施形態に係る周波数温度補償回路の一部である電圧発生手段の回路図である。この電圧発生手段４５は、感温素子であるサーミスタＲ２３と、そのサーミスタＲ２３の電圧を分圧する分圧抵抗Ｒ２４と、オペアンプ４０のマイナス側の端子の電圧を設定する分圧抵抗Ｒ２５、Ｒ２６、オペアンプ４０の出力電圧ＶＯをマイナス側の端子に帰還する帰還抵抗Ｒ２７と、電源電圧を分圧する分圧抵抗Ｒ２１、Ｒ２２と、出力電圧Ｖ０を所定の電圧に分圧する抵抗Ｒ２８及びコンデンサＣ２１と、発振器１２から構成されている。図６が図２と異なる点は、分圧抵抗Ｒ２１、Ｒ２２を追加してサーミスタＲ２３と分圧抵抗Ｒ２４、及び分圧抵抗Ｒ２５、Ｒ２６のグランドレベルを底上げした点である。これにより、出力電圧の飽和領域の終点（温度により直線的に変化する温度点）の設定が容易になる。
【００１１】
図７は、本発明の第２の実施形態の電圧発生手段の具体的な回路図である。構成は図６と同様であり、同じ構成要素には同じ参照番号が付されているので、重複する説明は省略する。この回路では例えば、オペアンプ４０としてＴＡ７５３５８Ｐを使用し、Ｒ２１＝１ＫΩ、Ｒ２２＝５６０Ω、Ｒ２３＝サーミスタ、Ｒ２４＝２２ＫΩ、Ｒ２５、Ｒ２６、Ｒ２７＝５６ＫΩ、Ｒ２８＝１０ＫΩ、ＶＣＣ＝４Ｖとして構成している。この回路定数によりオペアンプ４０の２番端子の電圧は、前記（２）式よりＶ（−）＝ＶＣＣ×Ｒ２６／（Ｒ２５＋Ｒ２６）＝４×５６ＫΩ／（５６ＫΩ＋５６ＫΩ）＝２Ｖであるが、分圧抵抗Ｒ２１とＲ２２によりグランドレベルが、
ＶＢ＝ＶＣＣ×Ｒ２２／（Ｒ２１＋Ｒ２２）＝４×５６０／（１ＫΩ＋５６０Ω）＝１．４４Ｖ底上げされている。
つまり、Ｖ（−）＝（４−１．４４）／２＝１．２８Ｖとなる。つまり、抵抗Ｒ２１、Ｒ２２の値を変えることにより出力電圧の飽和領域の終点（温度により直線的に変化する温度点）の設定をある範囲内で変更することが容易となる。
【００１２】
【発明の効果】
以上記載のごとく請求項１の発明によれば、オペアンプの一方の端子の電圧のグランドレベルを底上げしてバイアス電圧を供給するので、電圧発生手段の出力電圧が所定の温度範囲内では一定の電圧を発生する特性をもたせることができ、しかも、その一定電圧の範囲を容易に調整することが可能である。
また請求項２では、オペアンプの出力レベルを、感温素子により変化する電圧（温度）が所定の電圧以内のときは変化しないようにすることにより、所定の温度範囲内では温度補償を行わないようにすることができる。
また請求項３では、帰還抵抗の値によりオペアンプの増幅率を任意に変えることができるので、簡易な方法により振動子の温度特性を補償する電圧を発生することができる。
また請求項４では、オペアンプの出力電圧が振動子の温度特性に合わせて周波数が低下するように増幅利得を決定するので、高温側のみで変化する周波数特性を容易に補償することができる。
また請求項５では、感温素子の特性を正、負どちらでも使用することができるので、部品の使用範囲が広がりコストの安い方を選択することができる。
また請求項６では、感温素子にサーミスタを使用するので、コスト的に安く構成でき、しかも、使用する温度範囲を広範囲に設定することができる。
【図面の簡単な説明】
【図１】本発明の周波数温度補償回路の概略構成を表す図である。
【図２】（ａ）は本発明の第１の実施形態に係る周波数温度補償回路の一部である電圧発生手段の回路図、（ｂ）はオペアンプの入力電圧ＶＩと出力電圧ＶＯの関係を表す図、（ｃ）はオペアンプの出力電圧ＶＯと周囲温度の関係、及び発振器の周波数と周囲温度との関係を表す図である。
【図３】本発明の電圧発生手段を更に詳細に説明するためのシミュレーション回路である。
【図４】本発明の帰還抵抗をパラメータにして、プラス側の電圧を変化させた特性を示す図である。
【図５】本発明の帰還抵抗を一定にして、マイナス側の電圧をパラメータにしたときのサーミスタ電圧と出力電圧との関係を表す図である。
【図６】本発明の第２の実施形態に係る周波数温度補償回路の一部である電圧発生手段の回路図である。
【図７】本発明の第２の実施形態の電圧発生手段の具体的な回路図である。
【図８】従来の温度補償を説明するための図である。
【符号の説明】
１０  電圧発生手段、１１  オペアンプ、ＲＴＨ  サーミスタ、Ｒ１、Ｒ５、Ｒ６  分圧抵抗、Ｒ４  帰還抵抗
【図１】
2004186754.tif 000003
【図２】
2004186754.tif 000004
【図３】
2004186754.tif 000005
【図４】
2004186754.tif 000006
【図５】
2004186754.tif 000007
【図６】
2004186754.tif 000008
【図７】
2004186754.tif 000009
【図８】
2004186754.tif 000010